(57)【要約】【課題】デザインの自由度の高い立体映像観察用光学素子および立体映像観察用眼鏡と、上記の立体映像観察用眼鏡を用いた立体映像表示システムとを提供する。【解決手段】偏光眼鏡１は、右目用光学素子１１、左目用光学素子１２、およびフレーム１３を有している。右目用光学素子１１は、右目用位相差板１１Ａ、偏光板１１Ｂ、および支持体１１Ｃを表示装置２側から順に有しており、左目用光学素子１２は、左目用位相差板１２Ａ、偏光板１２Ｂ、および支持体１２Ｃを表示装置２側から順に有している（図３）。右目用位相差板１１Ａおよび左目用位相差板１２Ａは、光弾性係数が８０×１０-12／Ｐａ未満の材料によって構成されており、右目用光学素子１１および左目用光学素子１２は、表示装置２側に突出した湾曲形状となっている。【選択図】図１
2012003003.tif 000002
【特許請求の範囲】
【請求項１】
光入射面側に設けられ、第１の方向に遅相軸を有するλ／４位相差板と、前記λ／４位相差板よりも光射出側に設けられ、前記第１の方向と４５°で交差する方向に透過軸を有する偏光板とを含んで構成された積層板を備え、
前記積層板は、前記光入射面側に突出した湾曲形状となっており、
前記λ／４位相差板は、光弾性係数が８０×１０-12／Ｐａ未満の材料によって構成されている
立体映像観察用光学素子。
【請求項２】
前記λ／４位相差板は、光弾性係数が５０×１０-12／Ｐａ以下の材料によって構成されている
請求項１に記載の立体映像観察用光学素子。
【請求項３】
前記λ／４位相差板は、光弾性係数が３０×１０-12／Ｐａ以下の材料によって構成されている
請求項２に記載の立体映像観察用光学素子。
【請求項４】
前記λ／４位相差板は、変性ＰＣ（ポリカーボネート）を含んで構成されている
請求項１ないし請求項３のいずれか一項に記載の立体映像観察用光学素子。
【請求項５】
前記積層板は、６５．４ｍｍ以上の曲率を有する
請求項１ないし請求項３のいずれか一項に記載の立体映像観察用光学素子。
【請求項６】
右目用の第１の光学素子と、
左目用の第２の光学素子と、
前記第１の光学素子および前記第２の光学素子を支持するフレームと
を備え、
前記第１の光学素子は、
光入射面側に設けられ、第１の方向に遅相軸を有する第１のλ／４位相差板と、前記第１のλ／４位相差板よりも光射出側に設けられ、前記第１の方向と４５°で交差する方向に透過軸を有する第１の偏光板とを含んで構成された第１の積層板を有し、
前記第２の光学素子は、
光入射面側に設けられ、前記第１の方向と交差する第２の方向に遅相軸を有する第２のλ／４位相差板と、前記第２のλ／４位相差板よりも光射出側に設けられ、前記第２の方向と４５°で交差する方向に透過軸を有する第２の偏光板とを含んで構成された第２の積層板を有し、
前記第１の積層板および前記第２の積層板は、ともに、前記光入射面側に突出した湾曲形状となっており、
前記第１のλ／４位相差板および前記第２のλ／４位相差板は、ともに、光弾性係数が８０×１０-12／Ｐａ未満の材料によって構成されている
立体映像観察用眼鏡。
【請求項７】
前記第１の積層板および前記第２の積層板は、６５．４ｍｍ以上の曲率を有する
請求項６に記載の立体映像観察用眼鏡。
【請求項８】
立体映像表示装置と、前記立体映像表示装置とは別体で設けられた立体映像観察用眼鏡とを備え、
前記立体映像観察用眼鏡は、
右目用の第１の光学素子と、
左目用の第２の光学素子と、
前記第１の光学素子および前記第２の光学素子を支持するフレームと
を有し、
前記第１の光学素子は、
光入射面側に設けられ、第１の方向に遅相軸を有する第１のλ／４位相差板と、前記第１のλ／４位相差板よりも光射出側に設けられ、前記第１の方向と４５°で交差する方向に透過軸を有する第１の偏光板とを含んで構成された第１の積層板を有し、
前記第２の光学素子は、
光入射面側に設けられ、前記第１の方向と交差する第２の方向に遅相軸を有する第２のλ／４位相差板と、前記第２のλ／４位相差板よりも光射出側に設けられ、前記第２の方向と４５°で交差する方向に透過軸を有する第２の偏光板とを含んで構成された第２の積層板を有し、
前記第１の積層板および前記第２の積層板は、ともに、前記光入射面側に突出した湾曲形状となっており、
前記第１のλ／４位相差板および前記第２のλ／４位相差板は、ともに、光弾性係数が８０×１０-12／Ｐａ未満の材料によって構成されている
立体映像表示システム。
【発明の詳細な説明】
【技術分野】
【０００１】
本発明は、立体映像を観察する際に用いられる立体映像観察用光学素子および立体映像観察用眼鏡に関する。また、本発明は、上記立体映像観察用眼鏡を用いた立体映像表示システムに関する。
【背景技術】
【０００２】
近年、３次元（３Ｄ）映像を表示する表示装置が各社から次々と上市され始めている。このような表示装置で３Ｄ映像を見る際には、通常、専用の眼鏡（偏光眼鏡）が必要となる。３Ｄ用の偏光眼鏡については、多くの文献で開示されている（特許文献１〜５参照）。
【先行技術文献】
【特許文献】
【０００３】
【特許文献１】特許第４１５４６５３号公報
【特許文献２】特開２００３−１６７２１６号公報
【特許文献３】特開２００２−１９６２８１号公報
【特許文献４】特開平１０−２０６７９６号公報
【特許文献５】特開平９−１３８３７１号公報
【発明の概要】
【発明が解決しようとする課題】
【０００４】
ところで、上記の偏光眼鏡は、レンズがフラットになっているものに限られている。これは、レンズにカーブを付けると、３Ｄ映像を生成することが難しくなってしまうからである。そのため、３Ｄ用の偏光眼鏡では、デザイン上の自由度が限られていた。
【０００５】
本発明はかかる問題点に鑑みてなされたもので、その第１の目的は、デザインの自由度の高い立体映像観察用光学素子および立体映像観察用眼鏡を提供することにある。また、第２の目的は、上記の立体映像観察用眼鏡を用いた立体映像表示システムを提供することにある。
【課題を解決するための手段】
【０００６】
本発明の立体映像観察用光学素子は、光入射面側に設けられたλ／４位相差板と、前記λ／４位相差板よりも光射出側に設けられた偏光板とを含んで構成された積層板を備えたものである。積層板は光入射面側に突出した湾曲形状となっている。λ／４位相差板は第１の方向に遅相軸を有しており、偏光板は第１の方向と４５°で交差する方向に透過軸を有している。λ／４位相差板は、さらに、光弾性係数が８０×１０-12／Ｐａ未満の材料によって構成されている。
【０００７】
光弾性係数（応力光学係数：stress-optical coefficient）は、光弾性効果の大きさを示す量である。光弾性効果とは、物質に外力を加えて歪みを起こさせたときに、光学的な異方性が生じ、複屈折が生じるようになる現象を指している。光弾性係数は、下式により定義される。
｜ＣＲ｜＝｜Δｎ｜／σＲ
｜Δｎ｜＝｜ｎ１−ｎ２｜
【０００８】
上記の式中で、｜ＣＲ｜は光弾性係数の絶対値を指し、σＲは伸張応力を指し、｜Δｎ｜は複屈折の絶対値を指し、ｎ１は伸張方向の屈折率を指し、ｎ２は伸張方向と垂直な方向の屈折率を指す。光弾性係数の値がゼロに近いほど外力による複屈折の変化が小さいことを示している。λ／４位相差板の光弾性係数は一般的なＰＣ（ポリカーボネート）の光弾性係数（８０×１０-12／Ｐａ）よりも小さくなっており、５０×１０-12／Ｐａ以下となっていることが好ましく、３０×１０-12／Ｐａ以下となっていることがより好ましい。光弾性係数が上記の範囲内となるような材料としては、例えば、変性ＰＣ（ポリカーボネート）が挙げられる。変性ＰＣとは、一般的なＰＣの分子構造（骨格）の一部を変更し、分子構造の対象性を向上させたものを指している。
【０００９】
本発明の立体映像観察用眼鏡は、右目用の第１の光学素子と、左目用の第２の光学素子と、第１の光学素子および第２の光学素子を支持するフレームとを備えたものである。第１の光学素子は、光入射面側に設けられた第１のλ／４位相差板と、第１のλ／４位相差板よりも光射出側に設けられた第１の偏光板とを含んで構成されている。第１のλ／４位相差板は第１の方向に遅相軸を有しており、第１の偏光板は第１の方向と４５°で交差する方向に透過軸を有している。第２の光学素子は、光入射面側に設けられた第２のλ／４位相差板と、第２のλ／４位相差板よりも光射出側に設けられた第２の偏光板とを含んで構成されている。第２のλ／４位相差板は第２の方向に遅相軸を有しており、第２の偏光板は第２の方向と４５°で交差する方向に透過軸を有している。第１の積層板および第２の積層板は、ともに、光入射面側に突出した湾曲形状となっている。第１のλ／４位相差板および第２のλ／４位相差板は、ともに、光弾性係数が８０×１０-12／Ｐａ未満の材料によって構成されている。
【００１０】
本発明の立体映像表示システムは、立体映像表示装置と、立体映像表示装置とは別体で設けられた立体映像観察用眼鏡とを備えたものである。立体映像表示システムに含まれる立体映像観察用眼鏡は、上記の立体映像観察用眼鏡と同一の構成要素を備えている。
【００１１】
本発明の立体映像観察用光学素子、立体映像観察用眼鏡および立体映像表示システムでは、λ／４位相差板（第１のλ／４位相差板および第２のλ／４位相差板）が、光弾性係数が８０×１０-12／Ｐａ未満の材料によって構成されている。これにより、製造過程において応力を加えてλ／４位相差板を製造した場合であっても、応力による複屈折の変化が少ない。そのため、積層板を、表示装置側に突出した湾曲形状にした場合であっても、応力に起因する光学特性の変化を従来よりも小さくすることができる。
【発明の効果】
【００１２】
本発明の立体映像観察用光学素子、立体映像観察用眼鏡および立体映像表示システムによれば、積層板を、表示装置側に突出した湾曲形状にした場合であっても、応力に起因する光学特性の変化を従来よりも小さくすることができるようにしたので、積層板のデザイン性を向上させたり、フレーム形状を比較的自由に設計したりすることができる。その結果、デザインの自由度の高い立体映像観察用光学素子および立体映像観察用眼鏡を提供することができる。また、デザインの自由度の高い立体映像観察用眼鏡を用いた立体映像表示システムを提供することもできる。また、例えば、積層板に付けるカーブの曲率を光入射側で相対的に大きくし、光射出側で相対的に小さくした場合には、積層板に視力矯正機能を付与することもできる。そのようにした場合には、デザインだけでなく機能面についても自由度を高くすることができる。
【図面の簡単な説明】
【００１３】
【図１】本発明の一実施の形態に係る偏光眼鏡の構成の一例を表示装置と共に表す斜視図である。
【図２】図１の偏光眼鏡の構成の他の例を表す斜視図である。
【図３】図１の偏光眼鏡の右目用光学素子および左目用光学素子の構成の一例を表す斜視図である。
【図４】図３の右目用光学素子および左目用光学素子の遅相軸の一例を他の光学部材の遅相軸または透過軸と共に表す概念図である。
【図５】図１の表示装置の映像を右目で観察する際の遅相軸および透過軸の一例について説明するための概念図である。
【図６】図１の表示装置の映像を右目で観察する際の遅相軸および透過軸の他の例について説明するための概念図である。
【図７】図１の表示装置の映像を左目で観察する際の遅相軸および透過軸の一例について説明するための概念図である。
【図８】図１の表示装置の映像を左目で観察する際の遅相軸および透過軸の他の例について説明するための概念図である。
【図９】図１の偏光眼鏡の右目用光学素子および左目用光学素子の構成の他の例を表す斜視図である。
【図１０】図１の表示装置の構成の一例を表す断面図である。
【図１１】図１０の位相差素子の構成の一例を表す斜視図である。
【図１２】図１１の配向膜の構成の一例を表す斜視図である。
【図１３】実施例および比較例に係る偏光眼鏡におけるクロストークの測定結果を表す図である。
【発明を実施するための形態】
【００１４】
以下、発明を実施するための形態（以下、実施の形態とする。）について、図面を参照して詳細に説明する。なお、説明は以下の順序で行う。
１．実施の形態
１．１  偏光眼鏡１の構成（図１〜図９）
１．２  表示装置２の構成（図１０〜図１２）
１．３  基本動作
１．４  効果
２．実施例（図１３）
３．変形例
【００１５】
＜１．実施の形態＞
［１．１ 偏光眼鏡１の構成］
図１は、本発明の一実施の形態に係る偏光眼鏡１の構成の一例を、後述する偏光眼鏡方式の表示装置２とともに斜視的に表したものである。なお、偏光眼鏡１が本発明の「立体映像観察用眼鏡」の一具体例に相当し、偏光眼鏡１および表示装置２が本発明の「立体映像表示システム」の一具体例に相当する。
【００１６】
本実施の形態の偏光眼鏡１は、観察者（図示せず）の眼球の前に装着されるものであり、表示装置２の映像表示面２Ａに映し出される映像を観察する際に観察者によって用いられるものである。この偏光眼鏡１は、例えば、円偏光眼鏡であり、例えば、図１に示したように、右目用光学素子１１、左目用光学素子１２、およびフレーム１３を有している。なお、右目用光学素子１１が本発明の「立体映像観察用光学素子」、「第１の光学素子」の一具体例に相当し、左目用光学素子１２が本発明の「立体映像観察用光学素子」、「第２の光学素子」の一具体例に相当する。
【００１７】
フレーム１３は、右目用光学素子１１および左目用光学素子１２を支持するものである。フレーム１３の形状は、特に限られるものではないが、例えば、図１に示したように、観察者（図示せず）の鼻および耳にひっかける形状となっていてもよいし、図２（Ａ）に示したように、観察者の鼻にだけひっかける形状となっていてもよい。また、フレーム１３の形状は、例えば、図２（Ｂ）に示したように、観察者が手で握れる形状となっていてもよい。
【００１８】
右目用光学素子１１および左目用光学素子１２は、表示装置２の映像表示面２Ａと対向した状態で用いられる。右目用光学素子１１および左目用光学素子１２は、図１に示したように、できるだけ一の水平面内に配置した状態で用いられることが好ましいが、多少傾いた平坦面内に配置した状態で用いられてもよい。
【００１９】
右目用光学素子１１は、例えば、右目用位相差板１１Ａ、偏光板１１Ｂ、および支持体１１Ｃを有している。右目用位相差板１１Ａ、偏光板１１Ｂ、および支持体１１Ｃは、表示装置２の映像表示面２Ａから射出された光Ｌが入射する側（表示装置２側）から順に配置されている。一方、左目用光学素子１２は、例えば、左目用位相差板１２Ａ、偏光板１２Ｂ、および支持体１２Ｃを有している。左目用位相差板１２Ａ、偏光板１２Ｂ、および支持体１２Ｃは、表示装置２の映像表示面２Ａから射出された光Ｌが入射する側（表示装置２側）から順に配置されている。なお、右目用位相差板１１Ａ、偏光板１１Ｂ、および支持体１１Ｃを含んで構成された積層板が本発明の「積層板」、「第１の積層板」の一具体例に相当する。また、左目用位相差板１２Ａ、偏光板１２Ｂ、および支持体１２Ｃを含んで構成された積層板が本発明の「積層板」、「第２の積層板」の一具体例に相当する。また、右目用位相差板１１Ａが本発明の「λ／４位相差板」、「第１のλ／４位相差板」の一具体例に相当し、左目用位相差板１２Ａが本発明の「λ／４位相差板」、「第２のλ／４位相差板」の一具体例に相当する。
【００２０】
支持体１１Ｃ，１２Ｃは、必要に応じて省略することも可能である。また、右目用光学素子１１および左目用光学素子１２は、上で例示したもの以外の部材を有していてもよい。例えば、支持体１１Ｃ，１２Ｃの光射出側（観察者側）の面に、支持体１１Ｃ，１２Ｃが破損したときに破損片が観察者の眼球に飛散するのを防止する保護フィルム（図示せず）や保護のためのコーティング層（図示せず）が設けられていてもよい。
【００２１】
支持体１１Ｃは、例えば、右目用位相差板１１Ａおよび偏光板１１Ｂを支持するものである。支持体１１Ｃは、例えば、表示装置２の映像表示面２Ａから射出された光Ｌに対して透明な樹脂、例えば、ＰＣ（ポリカーボネート）などからなる。また、支持体１２Ｃは、例えば、左目用位相差板１２Ａおよび偏光板１２Ｂを支持するものである。支持体１２Ｃは、例えば、表示装置２の映像表示面２Ａから射出された光Ｌに対して透明な樹脂、例えば、ＰＣ（ポリカーボネート）などからなる。
【００２２】
偏光板１１Ｂ，１２Ｂは、ある一定の振動方向の光（偏光）のみを通過させるようになっている。例えば、図４（Ａ），（Ｂ）に示したように、偏光板１１Ｂ，１２Ｂの偏光軸ＡＸ１，ＡＸ２はそれぞれ、表示装置２の偏光板３１Ｂ（後述）の偏光軸ＡＸ３と直交する方向を向いている。偏光軸ＡＸ１，ＡＸ２はそれぞれ、例えば、図４（Ａ）に示したように、偏光板３１Ｂの偏光軸ＡＸ３が垂直方向を向いている場合には水平方向を向いており、例えば、図４（Ｂ）に示したように、偏光板３１Ｂの偏光軸ＡＸ３が水平方向を向いている場合には垂直方向を向いている。また、図示しないが、偏光板３１Ｂの偏光軸ＡＸ３が斜め４５°方向を向いている場合には、偏光軸ＡＸ１，ＡＸ２は、それと直交する方向（−４５°）を向いている。
【００２３】
右目用位相差板１１Ａおよび左目用位相差板１２Ａは、光学異方性を有する薄い層である。これらの位相差板は、光弾性係数がＰＣ（ポリカーボネート）の光弾性係数（８０×１０-12／Ｐａ）未満の材料によって構成されている。これらの位相差板は、光弾性係数が５０×１０-12／Ｐａ以下の材料によって構成されていることが好ましく、光弾性係数が３０×１０-12／Ｐａ以下の材料によって構成されていることがより好ましい。そのような特性を持つ樹脂材料としては、例えば、変性ＰＣ（ポリカーボネート）が挙げられる。なお、変性ＰＣとは、一般的なＰＣの分子構造（骨格）の一部を変更し、分子構造の対象性を向上させたものを指している。右目用位相差板１１Ａおよび左目用位相差板１２Ａは、例えば、変性ＰＣ（ポリカーボネート）を含んで構成されている。なお、右目用位相差板１１Ａおよび左目用位相差板１２Ａの基材として、上で例示した樹脂材料が用いられている場合に、その基材に、不織布などの繊維や、フィラーなどが複合されていてもよい。変性ＰＣの他にも、光弾性係数の小さな材料として、ＰＭＭＡ（ポリメチルメタクリレート）、ＰＳ（ポリスチレン）、ＴＡＣ（トリアセチルセルロース）、ＣＯＰ（シクロオレフィンポリマー）、ＣＯＣ（シクロオレフィンコポリマー）、またはこれらのブレンド品などでもよい。ＰＣとＰＳのブレンドとしては、特開２００１−５５４５５の手法を用いてもよい。ただし、耐衝撃性が高いことや熱に強い（ガラス転移温度Ｔｇが高い）ことから、変性ＰＣの方がより好ましいと言える。
【００２４】
右目用位相差板１１Ａの遅相軸ＡＸ４は、図４（Ａ），（Ｂ）に示したように、偏光軸ＡＸ１と４５°で交差する方向を向いている。また、左目用位相差板１２Ａの遅相軸ＡＸ５は、図４（Ａ），（Ｂ）に示したように、偏光軸ＡＸ２と４５°で交差する方向を向いており、かつ遅相軸ＡＸ４と直交する方向を向いている。遅相軸ＡＸ４，ＡＸ５はそれぞれ、例えば、図４（Ａ），（Ｂ）に示したように、偏光軸ＡＸ１，ＡＸ２が水平方向または垂直方向を向いている場合には、水平方向および垂直方向のいずれの方向とも交差する方向を向いている。また、図示しないが、偏光軸ＡＸ１，ＡＸ２が斜め４５°方向を向いている場合には、遅相軸ＡＸ４が例えば水平方向を向いており、遅相軸ＡＸ５が例えば垂直方向を向いている。
【００２５】
また、遅相軸ＡＸ４は、後述の右目用位相差領域４３Ａの遅相軸ＡＸ６の向きと同一の方向を向いており、後述の左目用位相差領域４３Ｂの遅相軸ＡＸ７の向きと異なる方向を向いている。一方、遅相軸ＡＸ５は、遅相軸ＡＸ７と同一の方向を向いており、遅相軸ＡＸ６の向きと異なる方向を向いている。
【００２６】
（リタデーション）
次に、図５（Ａ），（Ｂ）〜図８（Ａ），（Ｂ）を参照して、偏光眼鏡１のリタデーションについて説明する。偏光眼鏡１のリタデーションについて説明するにあたって、表示装置２に搭載されている位相差素子４０（後述）についての理解が必要である。なお、位相差素子４０についての説明は後に詳述してあるので、以下では、その説明で使用されている符号を引用しつつ、偏光眼鏡１のリタデーションについて説明するものとする。なお、リタデーションは、例えば、回転検光子法や、セナルモン法など、いくつかの楕円偏光解析にて測定することが可能なものである。本明細書では、リタデーションの値として、回転検光子法を用いることによって得られた値が示されている。
【００２７】
図５（Ａ），（Ｂ）および図６（Ａ），（Ｂ）は、位相差層４３の右目用位相差領域４３Ａに入射した右目用画像光Ｌ１のみに着目し、偏光眼鏡１を介して、光Ｌ１が左右の目でどのように認識されるかを例示した概念図である。また、図７（Ａ），（Ｂ）および図８（Ａ），（Ｂ）は、位相差層４３の右目用領域３３Ｂに入射した左目用画像光Ｌ２のみに着目し、偏光眼鏡１を介して、光Ｌ２が左右の目でどのように認識されるかを例示した概念図である。なお、実際には、右目用画像光Ｌ１および左目用画像光Ｌ２は、混在した状態で出力されるが、図５（Ａ），（Ｂ）〜図８（Ａ），（Ｂ）では、説明の便宜上、右目用画像光Ｌ１と左目用画像光Ｌ２を別個に分けて記述した。
【００２８】
ところで、偏光眼鏡１を用いて表示装置２の映像表示面を観察した場合に、例えば、図５（Ａ），（Ｂ）、図６（Ａ），（Ｂ）に示したように、右目には右目用画素の画像が認識でき、左目には右目用画素の画像が認識できないようにすることが必要である。また、同時に、例えば、図７（Ａ），（Ｂ）、図８（Ａ），（Ｂ）に示したように、左目には左目用画素の画像が認識でき、右目には左目用画素の画像が認識できないようにすることが必要である。そのためには、以下に示したように、右目用位相差領域４３Ａおよび右目用位相差板１１Ａのリタデーションならびに左目用位相差領域４３Ｂおよび左目用位相差板１２Ａのリタデーションを設定することが好ましい。
【００２９】
具体的には、右目用位相差板１１Ａおよび左目用位相差板１２Ａのリタデーションのうち一方が＋λ／４（λは波長）となっており、他方が−λ／４となっていることが好ましい。ここで、リタデーションの符号が逆になっているのは、それぞれの遅相軸の向きが９０°異なることを示している。このとき、右目用位相差領域４３Ａのリタデーションは右目用位相差板１１Ａのリタデーションと同一となっていることが好ましく、左目用位相差領域４３Ｂのリタデーションは左目用位相差板１２Ａのリタデーションと同一となっていることが好ましい。
【００３０】
なお、実際に、右目用位相差板１１Ａおよび左目用位相差板１２Ａに対して、全ての波長（可視領域全体）でリタデーションをλ／４にすることができる材料を選択することは容易ではない。ただし、全ての波長でリタデーションをλ／４にすることよりも、全ての波長で右目用位相差領域４３Ａのリタデーションが右目用位相差板１１Ａのリタデーションと同一（近い値）となっていること、左目用位相差領域４３Ｂのリタデーションが左目用位相差板１２Ａのリタデーションと同一（近い値）になっていることの方が重要である。一方、全ての波長でリタデーションをλ／４にする必要はないが、３Ｄ映像を明るい輝度や適切な色で視聴するためには、５００ｎｍ〜５６０ｎｍ程度の緑の領域の範囲内で、リタデーションがλ／４になるようにすることが好ましい。これは、人間の網膜は、緑の波長帯の光に対して高い感度を有していること、緑の領域で合わせることで、青や赤の領域でも比較的合うことがその理由である。
【００３１】
ところで、本実施の形態では、右目用光学素子１１および左目用光学素子１２は、平板形状となっておらず、表示装置２の映像表示面から射出された光Ｌが入射する側（表示装置２側）に突出した湾曲形状となっている。右目用光学素子１１および左目用光学素子１２は、例えば、平板を湾曲させた形状となっており、例えば、図３に示したように、表示装置２側の表面（光入射面Ｓ１）に凸状の曲面を有すると共に、観察者側の表面（光射出面Ｓ２）に凹状の曲面を有している。
【００３２】
光入射面Ｓ１に形成された凸状の曲面の曲率（以下、「曲率Ａ」とする）と、光射出面Ｓ２に形成された凸状の曲面の曲率（以下、「曲率Ｂ」とする）は、８Ｃ品の曲率と同一か、またはそれよりも大きな曲率を有している。なお、上記の８Ｃとは、眼鏡レンズの曲率を規定したものであり、曲率が６５．４ｍｍとなっていることを意味している。曲率Ａ，Ｂは、互いに等しくなっていてもよいし、互いに異なっていてもよい。なお、曲率Ａ，Ｂが互いに異なっている場合には、例えば、図９に示したように、曲率Ａが曲率Ｂよりも小さくなっていることが好ましい。このようにした場合には、右目用光学素子１１および左目用光学素子１２が、例えば、視力矯正レンズとしても機能する。
【００３３】
［１．２ 表示装置２の構成］
次に、偏光眼鏡１と共に用いる表示装置２の構成の一例について説明する。図１０は、表示装置２の断面構成の一例を表すものである。表示装置２は、バックライトユニット２０、液晶表示パネル３０（表示パネル）および位相差素子４０をこの順に積層して構成されたものである。この表示装置２において、位相差素子４０の表面が映像表示面２Ａとなっており、観察者側に向けられている。なお、本実施の形態では、映像表示面２Ａが垂直面（鉛直面）と平行となるように表示装置２が配置されているものとする。また、観察者は偏光眼鏡１を眼球の前に装着した上で、映像表示面２Ａを観察するものとする。
【００３４】
（バックライトユニット２０）
バックライトユニット２０は、例えば、反射板、光源および光学シート（いずれも図示せず）を有している。反射板は、光源からの射出光を光学シート側に戻すものであり、反射、散乱、拡散などの機能を有している。この反射板は、例えば、発泡ＰＥＴ（ポリエチレンテレフタレート）などによって構成されている。これにより、光源からの射出光を効率的に利用することができる。光源は、液晶表示パネル３０を背後から照明するものであり、例えば、複数の線状光源が等間隔で並列配置されたり、複数の点状光源が２次元配列されたりしたものである。なお、線状光源としては、例えば、熱陰極管(ＨＣＦＬ；Hot Cathode Fluorescent Lamp)、冷陰極管（ＣＣＦＬ；Cold Cathode Fluorescent Lamp）などが挙げられる。また、点状光源としては、例えば、発光ダイオード（ＬＥＤ；Light Emitting Diode）などが挙げられる。光学シートは、光源からの光の面内輝度分布を均一化したり、光源からの光の発散角や偏光状態を所望の範囲内に調整したりするものであり、例えば、拡散板、拡散シート、プリズムシート、反射型偏光素子、位相差板などを含んで構成されている。また、光源は、エッジライト方式のものでもよく、その場合には、必要に応じて導光板や導光フィルムが用いられる。
【００３５】
（液晶表示パネル３０）
液晶表示パネル３０は、複数の画素が行方向および列方向に２次元配列された透過型の表示パネルであり、映像信号に応じて各画素を駆動することによって映像を表示するものである。この液晶表示パネル３０は、例えば、図１０に示したように、バックライトユニット２０側から順に、偏光板３１Ａ、透明基板３２、画素電極３３、配向膜３４、液晶層３５、配向膜３６、共通電極３７、カラーフィルタ３８、透明電極３９および偏光板３１Ｂを有している。
【００３６】
ここで、偏光板３１Ａは、液晶表示パネル３０の光入射側に配置された偏光板であり、偏光板３１Ｂは液晶表示パネル３０の光射出側に配置された偏光板である。偏光板３１Ａ，３１Ｂは、光学シャッタの一種であり、ある一定の振動方向の光（偏光）のみを通過させる。偏光板３１Ａ，３１Ｂはそれぞれ、例えば、偏光軸が互いに所定の角度だけ（例えば９０度）異なるように配置されており、これによりバックライトユニット２０からの射出光が液晶層を介して透過し、あるいは遮断されるようになっている。なお、偏光板は、板状に限定されない。
【００３７】
偏光板３１Ａの透過軸の向きは、バックライトユニット２０から射出された光を透過可能な範囲内に設定される。例えば、バックライトユニット２０から射出される光の偏光軸が垂直方向となっている場合には、偏光板３１Ａの透過軸も垂直方向を向いており、バックライトユニット２０から射出される光の偏光軸が水平方向となっている場合には、偏光板３１Ａの透過軸も水平方向を向いている。なお、バックライトユニット２０から射出される光は直線偏光光である場合に限られるものではなく、円偏光や、楕円偏光、無偏光であってもよい。
【００３８】
偏光板３１Ｂの偏光軸の向きは、液晶表示パネル３０を透過した光を透過可能な範囲内に設定される。例えば、偏光板３１Ａの偏光軸の向きが水平方向となっている場合には、偏光板３１Ｂの偏光軸は偏光板３１Ａの偏光軸と直交する方向（垂直方向）を向いている。また、例えば、偏光板３１Ａの偏光軸の向きが垂直方向となっている場合には、偏光板３１Ｂの偏光軸は偏光板３１Ａの偏光軸と直交する方向（水平方向）を向いている。なお、上記の偏光軸と、上記の透過軸とは互いに同義である。
【００３９】
透明基板３２，３９は、一般に、可視光に対して透明な基板である。なお、バックライトユニット２０側の透明基板には、例えば、画素電極３３に電気的に接続された駆動素子としてのＴＦＴ（Thin Film Transistor；薄膜トランジスタ）および配線などを含むアクティブ型の駆動回路が形成されている。画素電極３３は、例えば酸化インジウムスズ（ＩＴＯ；Indium Tin Oxide）からなり、画素ごとの電極として機能する。配向膜３４，２６は、例えばポリイミドなどの高分子材料からなり、液晶に対して配向処理を行う。液晶層３５は、例えばＶＡ（Vertical Alignment）モード、ＩＰＳ（In-Plane Switching）モード、ＴＮ（Twisted Nematic）モードまたはＳＴＮ（Super Twisted Nematic）モードの液晶からなる。液晶層３５は、図示しない駆動回路からの印加電圧により、バックライトユニット２０からの射出光を画素ごとに透過または遮断する機能を有している。共通電極３７は、例えばＩＴＯからなり、各画素電極３３に対する共通の対向電極として機能する。カラーフィルタ３８は、バックライトユニット２０からの射出光を、例えば、赤（Ｒ）、緑（Ｇ）および青（Ｂ）の三原色にそれぞれ色分離するためのフィルタ部３８Ａを配列して形成されている。このカラーフィルタ３８では、画素間の境界に対応する部分に、遮光機能を有するブラックマトリクス部３８Ｂが設けられている。
【００４０】
（位相差素子４０）
次に、位相差素子４０について説明する。図１１は、位相差素子４０の構成の一例を斜視的に表したものである。位相差素子４０は、液晶表示パネル３０の偏光板３１Ｂを透過した光の偏光状態を変化させるものである。位相差素子４０は、液晶表示パネル３０の光射出側の表面（偏光板３１Ｂ）に粘着剤（図示せず）などによって貼り付けられている。位相差素子４０は、例えば、図１１に示したように、液晶表示パネル３０側から順に、基材４１、配向膜４２および位相差層４３を有している。なお、図示しないが、基材４１、配向膜４２および位相差層４３は、液晶表示パネル３０とは反対側（観察者側）から順に配置されていてもよい。
【００４１】
基材４１は、配向膜４２および位相差層４３を支持するものであり、例えば、透明樹脂フィルムによって構成されている。透明樹脂フィルムとしては、光学異方性の小さい、つまり複屈折の小さいものが好ましい。そのような特性を持つ透明樹脂フィルムとしては、例えば、ＴＡＣ（トリアセチルセルロース）、ＣＯＰ（シクロオレフィンポリマー）、ＣＯＣ（シクロオレフィンコポリマー）、ＰＭＭＡ（ポリメチルメタクリレート）などが挙げられる。ここで、ＣＯＰとしては、例えば、ゼオノアやゼオネックス（日本ゼオン社の登録商標）、アートン（ＪＳＲ社の登録商標）などがある。基材フィルムの３１の厚さは、例えば、３０μｍ以上５００μｍ以下となっていることが好ましい。基材４１のリタデーションは、２０ｎｍ以下であることが好ましく、１０ｎｍ以下であることがより好ましい。なお、基材４１は、ガラス基板によって構成されていてもよい。
【００４２】
配向膜４２は、液晶などの配向性材料を特定の配向させる機能を有するものである。配向膜４２は、透明な樹脂、例えば、ＵＶ硬化型、電子線硬化型、または熱可塑性の透明樹脂によって構成されている。配向膜４２は、基材４１の光射出側の表面に設けられており、例えば、図１２（Ａ）に示したように、配向方向が互いに異なる２種類の配向領域（右目用配向領域４２Ａ，左目用配向領域４２Ｂ）を有している。右目用配向領域４２Ａおよび左目用配向領域４２Ｂは、例えば、共通する一の方向（水平方向）に延在する帯状の形状となっており、右目用配向領域４２Ａおよび左目用配向領域４２Ｂの短手方向（垂直方向）に交互に配置されている。右目用配向領域４２Ａおよび左目用配向領域４２Ｂは、液晶表示パネル３０の画素に対応して配置されており、例えば、液晶表示パネル３０の短手方向（垂直方向）の画素ピッチに対応するピッチで配置されている。
【００４３】
右目用配向領域４２Ａは、例えば、図１２（Ａ），（Ｂ）に示したように、偏光板３１Ｂの偏光軸ＡＸ３と４５°で交差する方向に延在する複数の溝Ｖ１を有している。一方、左目用配向領域４２Ｂは、図１２（Ａ），（Ｂ）に示したように、偏光板３１Ｂの偏光軸ＡＸ３と４５°で交差する方向であって、かつ溝Ｖ１の延在方向と直交する方向に延在する複数の溝Ｖ２を有している。溝Ｖ１，Ｖ２はそれぞれ、例えば、図１２（Ａ），（Ｂ）に示したように、偏光板３１Ｂの偏光軸ＡＸ３が垂直方向または水平方向を向いている場合には斜め４５°方向に延在している。また、図示しないが、偏光板３１Ｂの偏光軸ＡＸ３が斜め４５°方向を向いている場合には、溝Ｖ１が例えば水平方向に延在しており、溝Ｖ２が例えば垂直方向に延在している。
【００４４】
各溝Ｖ１は、一の方向に直線状に延在していてもよいし、例えば、揺らぎながら（蛇行しながら）一の方向に延在していてもよい。各溝Ｖ１の断面形状は、例えばＶ字状となっている。同様に、各溝Ｖ２の断面形状も、例えばＶ字状となっている。言い換えると、右目用配向領域４２Ａおよび左目用配向領域４２Ｂ全体の断面形状は、鋸歯状となっている。その溝構造において、ピッチは小さい方が好ましく、数μｍ以下であり、さらに好ましくは数百ｎｍ以下である。このような形状は、例えば、型を用いた転写によって一括形成される。また、配向膜４２は、上記で示した溝構造によるものではなく、偏光ＵＶ照射によって形成された光配向膜であってもよい。光配向膜は、偏光ＵＶを照射したときにＵＶの偏光方向に配向する材料をあらかじめ塗布しておき、右目用配向領域４２Ａおよび左目用配向領域４２Ｂにそれぞれ異なる方向に偏光したＵＶ光を照射することにより製造可能である。
【００４５】
位相差層４３は、光学異方性を有する薄い層である。この位相差層４３は、例えば、右目用配向領域４２Ａおよび左目用配向領域４２Ｂの表面に設けられたものである。位相差層４３は、例えば、図１１に示したように、遅相軸の向きが互いに異なる２種類の位相差領域（右目用位相差領域４３Ａ，左目用位相差領域４３Ｂ）を有している。
【００４６】
右目用位相差領域４３Ａおよび左目用位相差領域４３Ｂは、例えば、図１１に示したように、共通する一の方向（水平方向）に延在する帯状の形状となっており、右目用位相差領域４３Ａおよび左目用位相差領域４３Ｂの短手方向（垂直方向）に交互に配置されている。
【００４７】
右目用位相差領域４３Ａは、例えば、図４（Ａ），（Ｂ）、図１１に示したように、偏光板３１Ｂの偏光軸ＡＸ３と４５°で交差する方向に遅相軸ＡＸ６を有している。一方、左目用位相差領域４３Ｂは、例えば、図４（Ａ），（Ｂ）、図１１に示したように、偏光板３１Ｂの偏光軸ＡＸ３と４５°で交差する方向であって、かつ遅相軸ＡＸ６と直交する方向に遅相軸ＡＸ７を有している。遅相軸ＡＸ６，ＡＸ７はそれぞれ、例えば、図４（Ａ），（Ｂ）、図１１に示したように、偏光板３１Ｂの偏光軸ＡＸ３が垂直方向または水平方向を向いている場合には斜め４５°方向を向いている。また、図示しないが、偏光板３１Ｂの偏光軸ＡＸ３が斜め４５°方向を向いている場合には、遅相軸ＡＸ６が例えば水平方向に延在しており、遅相軸ＡＸ７が例えば垂直方向を向いている。遅相軸ＡＸ６は、溝Ｖ１の延在方向を向いており、遅相軸ＡＸ７は、溝Ｖ２の延在方向を向いている。
【００４８】
さらに、遅相軸ＡＸ６は、例えば、偏光眼鏡２の右目用位相差板１１Ａの遅相軸ＡＸ４の向きと同一の方向を向いており、偏光眼鏡２の左目用位相差板１２Ａの遅相軸ＡＸ５の向きと異なる方向を向いている。一方、遅相軸ＡＸ７は、例えば、遅相軸ＡＸ５の向きと同一の方向を向いており、遅相軸ＡＸ４の向きと異なる方向を向いている。
【００４９】
位相差層４３は、例えば、重合した高分子液晶材料を含んで構成されている。すなわち、位相差層４３では、液晶分子の配向状態が固定されている。高分子液晶材料としては、相転移温度（液晶相−等方相）、液晶材料の屈折率波長分散特性、粘性特性、プロセス温度などに応じて選定された材料が用いられる。ただし、高分子液晶材料は、重合基としてアクリロイル基あるいはメタアクリロイル基を有していることが、透明性の観点から好ましい。また、高分子液晶材料として、重合性官能基と液晶骨格との間にメチレンスペーサのない材料を用いることが好ましい。プロセス時の配向処理温度を低くすることができるためである。位相差層４３の厚みは、例えば１μｍ〜２μｍである。なお、位相差層４３が、重合した高分子液晶材料を含んで構成されている場合に、位相差層４３が、重合した高分子液晶材料だけで構成されている必要はなく、その一部に未重合の液晶性モノマを含んでいてもよい。位相差層４３に含まれる未重合の液晶性モノマは、後述の配向処理（加熱処理）によって、その周囲に存在する液晶分子の配向方向と同様の方向に配向しており、高分子液晶材料の配向特性と同様の配向特性を有しているからである。
【００５０】
位相差層４３において、溝Ｖ１と右目用位相差領域４３Ａとの界面付近では、液晶分子の長軸が、溝Ｖ１の延在方向に沿うように配列しており、溝Ｖ２と左目用位相差領域４３Ｂとの界面付近では、液晶分子の長軸が、溝Ｖ２の延在方向に沿うように配列している。すなわち、溝Ｖ１および溝Ｖ２の形状および延在方向により、液晶分子の配向が制御され、右目用位相差領域４３Ａおよび左目用位相差領域４３Ｂの光学軸が設定される。
【００５１】
また、位相差層４３において、右目用位相差領域４３Ａおよび左目用位相差領域４３Ｂの構成材料や厚みを調整することにより、右目用位相差領域４３Ａおよび左目用位相差領域４３Ｂのリタデーション値が設定される。このリタデーション値は、基材４１が位相差を有する場合には、基材４１の位相差をも考慮して設定されることが好ましい。なお、本実施の形態では、右目用位相差領域４３Ａおよび左目用位相差領域４３Ｂは互いに同一の材料および厚みにより構成され、これにより、リタデーションの絶対値が互いに等しくなっている。
【００５２】
[１．３ 基本動作]
次に、本実施の形態の表示装置２において画像を表示する際の基本動作の一例について、図５（Ａ），（Ｂ）〜図８（Ａ），（Ｂ）を参照しつつ説明する。
【００５３】
まず、バックライト１０から照射された光が液晶表示パネル３０に入射している状態で、映像信号として右目用画像および左目用画像を含む視差信号が液晶表示パネル３０に入力される。すると、奇数行の画素から右目用画像光Ｌ１が出力され（図５（Ａ），（Ｂ）または図６（Ａ），（Ｂ））、偶数行の画素から左目用画像光Ｌ２が出力される（図７（Ａ），（Ｂ）または図８（Ａ），（Ｂ））。
【００５４】
その後、右目用画像光Ｌ１および左目用画像光Ｌ２は、位相差素子４０の右目用位相差領域４３Ａおよび左目用位相差領域４３Ｂによって楕円偏光に変換され、位相差素子４０の基材４１を透過したのち、表示装置２の映像表示面２Ａから外部に出力される。その後、表示装置２の外部に出力された光は、偏光眼鏡１に入射し、右目用位相差板１１Ａおよび左目用位相差板１２Ａによって楕円偏光から直線偏光に戻されたのち、偏光板１１Ｂ，１２Ｂに入射する。
【００５５】
このとき、偏光板１１Ｂ，１２Ｂへの入射光のうち右目用画像光Ｌ１に対応する光の偏光軸は、偏光板１１Ｂの偏光軸ＡＸ１と平行となっており、偏光板１２Ｂの偏光軸ＡＸ２と直交している。従って、偏光板１１Ｂ，１２Ｂへの入射光のうち右目用画像光Ｌ１に対応する光は、偏光板１１Ｂだけを透過して、観察者の右目に到達する（図５（Ａ），（Ｂ）または図６（Ａ），（Ｂ））。
【００５６】
一方、偏光板１１Ｂ，１２Ｂへの入射光のうち左目用画像光Ｌ２に対応する光の偏光軸は、偏光板１１Ｂの偏光軸ＡＸ１と直交しており、偏光板１２Ｂの偏光軸ＡＸ２と平行となっている。従って、偏光板１１Ｂ，１２Ｂへの入射光のうち左目用画像光Ｌ２に対応する光は、偏光板１２Ｂだけを透過して、観察者の左目に到達する（図７（Ａ），（Ｂ）または図８（Ａ），（Ｂ））。
【００５７】
このようにして、右目用画像光Ｌ１に対応する光が観察者の右目に到達し、左目用画像光Ｌ２に対応する光が観察者の左目に到達した結果、観察者は表示装置２の映像表示面２Ａに立体画像が表示されているかのように認識することができる。
【００５８】
[１．４ 効果] 
ところで、本実施の形態では、偏光眼鏡１の右目用位相差板１１Ａおよび左目用位相差板１２Ａが、光弾性係数が８０×１０-12／Ｐａ未満の材料によって構成されている。これにより、製造過程において応力を加えて右目用位相差板１１Ａおよび左目用位相差板１２Ａを製造した場合であっても、応力による複屈折の変化が少ない。そのため、例えば、図３、図９に示したように、偏光眼鏡１の右目用光学素子１１および左目用光学素子１２を、表示装置２側に突出した湾曲形状にした場合であっても、応力に起因する光学特性の変化を従来よりも小さくすることができる。その結果、右目用光学素子１１および左目用光学素子１２のデザイン性を向上させたり、偏光眼鏡１のフレーム１３の形状を比較的自由に設計することができる。従って、デザイン上の自由度を高めることができる。
【００５９】
また、本実施の形態において、偏光眼鏡１の光入射面Ｓ１の曲率Ａを、偏光眼鏡１の光射出面Ｓ２の曲率Ｂよりも大きな曲率にした場合には、偏光眼鏡１に視力矯正機能を付与することができる。生活の中で視力矯正用眼鏡をかけている人が３Ｄ映像を見る際には、通常その眼鏡の上から偏光眼鏡をかける必要があった。しかし、本実施の形態において偏光眼鏡１に視力矯正機能を付与した場合には、偏光眼鏡１をかけるだけで３Ｄ映像を見ることができる。このように、本実施の形態では、デザインだけでなく機能面についても自由度を高くすることが可能である。
【００６０】
＜２．実施例＞
次に、上記実施の形態の偏光眼鏡１の実施例について、比較例と対比して説明する。
【００６１】
図１３は、実施例および比較例に係る偏光眼鏡におけるクロストークの計測結果を表したものである。図中の白色の棒は、左目用画像光Ｌ２を、偏光眼鏡１を介して計測したときに、右目用計測器で計測された輝度を左目用計測器で計測された輝度で除算することにより得られた値（左目用画像光のクロストーク）を表している（下記の式１参照）。また、図中の黒色の棒は、右目用画像光Ｌ１を、偏光眼鏡１を介して計測したときに、左目用計測器で計測された輝度を右目用計測器で計測された輝度で除算することにより得られた値（右用画像光のクロストーク）を表している（下記の式２参照）。これらの値が若干異なるのは、製造上のばらつきや測定上の誤差であり、本質的には同一となるものである。
【００６２】
左目用画像光のクロストーク＝（左目用画像光Ｌ２を、右目用光学素子１１を介して見たときの輝度）／（左目用画像光Ｌ２を、左目用光学素子１２を介して見たときの輝度）
…（１）                                                                
右目用画像光のクロストーク＝（右目用画像光Ｌ１を、左目用光学素子１２を介して見たときの輝度）／（右目用画像光Ｌ１を、右目用光学素子１１を介して見たときの輝度）
…（２）                                                                
【００６３】
上記のクロストークが低くなるほど、立体表示特性が良くなる。逆に、上記のクロストークが高くなるほど、右目に左目用の画像光が入り込んだり、左目に右目用の画像光が入り込んだりするゴーストという現象が顕著となる。ゴーストは、眼精疲労を引き起こし、ひどい場合には、観察者がそもそも立体映像を見ることを困難にしてしまう。
【００６４】
図１３には、偏光眼鏡１の右目用光学素子１１および左目用光学素子１２のカーブの大きさが２Ｃ，６Ｃ，８Ｃとなっている場合の結果が示されている。ここで、２Ｃとは、曲率が２６１．５ｍｍとなっていることを示しており、６Ｃとは、曲率が８７．２ｍｍとなっていることを示している。８Ｃとは、既に述べたが、曲率が６５．４ｍｍとなっていることを示している。本実施例および本比較例では、右目用光学素子１１および左目用光学素子１２に対してカーブを設ける方法として、熱プレス法を用いた。なお、これらにカーブを設ける方法としては、熱プレスの他に、インサート射出成型法などを用いることもできる。
【００６５】
図１３から、実施例および比較例の双方において、曲率が小さくなるほど（つまり、カーブがきつくなるほど）、クロストークが悪化する様子がわかる。しかし、比較例では、６Ｃ，８Ｃにおいて、クロストークが、実用上問題とはならないレベルである３％を超えてしまっていることがわかる。一方、実施例では、２Ｃ〜８Ｃにおいて、クロストークが３％以下となっており、６Ｃ，８Ｃにおいても、実用に耐えることがわかる。
【００６６】
＜３．変形例＞
上記実施の形態では、位相差素子４０の位相差領域（右目用位相差領域４３Ａ，左目用位相差領域４３Ｂ）が水平方向に延在している場合が例示されていたが、それ以外の方向に延在していてもかまわない。例えば、図示しないが、位相差素子４０の位相差領域（右目用位相差領域４３Ａ，左目用位相差領域４３Ｂ）が垂直方向に延在していていてもよい。
【００６７】
また、上記実施の形態および変形例では、位相差素子４０の位相差領域（右目用位相差領域４３Ａ，左目用位相差領域４３Ｂ）が位相差素子４０の水平方向もしくは垂直方向全体に渡って延在している場合が例示されていたが、例えば、図示しないが、水平方向および垂直方向の双方に２次元配置されていてもよい。
【００６８】
以上では、偏光眼鏡１が円偏光タイプであり、表示装置２としては円偏光眼鏡用の表示装置である場合について説明をしたが、偏光眼鏡１が直線偏光タイプであり、表示装置２として直線偏光眼鏡用の表示装置である場合についても適用できる。
【００６９】
なお、本明細書において、「均一」、「平行」、「直交」、「垂直」、「同一の方向」という場合には、本発明の効果を損なわない限度において、それぞれが、略均一、略平行、略直交、略垂直、略同一の方向の場合を含むものとする。例えば、製造誤差、バラツキ等の諸要因に起因する誤差を含んでもよいものとする。
【符号の説明】
【００７０】
１…偏光眼鏡、２…表示装置、２Ａ…映像表示面、１１…右目用光学素子、１１Ａ…右目用位相差領域、１１Ｂ，１２Ｂ，３１Ａ，３１Ｂ…偏光板、１１Ｃ，１２Ｃ…支持体、１２…左目用光学素子、１２Ａ…左目用位相差板、１３…フレーム、２０…バックライトユニット、３０…液晶表示パネル、３２，３９…透明基板、３３…画素電極、３４，３６…配向膜、３５…液晶層、３７…共通電極、３８…カラーフィルタ、３８Ａ…フィルタ部、３８Ｂ…ブラックマトリクス部、４０…位相差素子、４１…基材、４２…配向膜、４２Ａ…右目用配向領域、４２Ｂ…左目用配向領域、４３…位相差層、ＡＸ１，ＡＸ２，ＡＸ３…偏光軸、ＡＸ４，ＡＸ５，ＡＸ６，ＡＸ７…遅相軸、Ｌ…光、Ｌ１…右目用画像光、Ｌ２…左目用画像光、Ｓ１…光入射面、Ｓ２…光射出面、Ｖ１，Ｖ２…溝。
【図１】
2012003003.tif 000003
【図２】
2012003003.tif 000004
【図３】
2012003003.tif 000005
【図４】
2012003003.tif 000006
【図５】
2012003003.tif 000007
【図６】
2012003003.tif 000008
【図７】
2012003003.tif 000009
【図８】
2012003003.tif 000010
【図９】
2012003003.tif 000011
【図１０】
2012003003.tif 000012
【図１１】
2012003003.tif 000013
【図１２】
2012003003.tif 000014
【図１３】
2012003003.tif 000015